(57)【要約】【課題】人体の細胞の活力を促進して人体の自家治癒効果を増進させるように大量の遠赤外線を放出する構造の溶岩を利用した蒸気浴もしくは乾気浴施設を提供することである。【解決手段】浴室内の放熱部および／または浴室の床面や側壁等の人体に接する部位に溶岩を配置したことを特徴とする溶岩を利用した蒸気浴もしくは乾気浴施設。【選択図】          図１
2004236676.tif 000002
【特許請求の範囲】
【請求項１】
浴室内の放熱部および／または浴室の床面や側壁等の人体に接する部位に溶岩を配置したことを特徴とする溶岩を利用した蒸気浴もしくは乾気浴施設。
【請求項２】
前記放熱部が、加熱手段を内蔵した加熱装置もしくは加熱手段に給水して蒸気を発生させる蒸気発生装置からなり、この加熱装置もしくは蒸気発生装置に取り付けた加熱手段に近接させて溶岩を配置したことを特徴とする請求項１に記載の溶岩を利用した蒸気浴もしくは乾気浴施設。
【請求項３】
前記放熱部が、浴室内の適所に配置された電熱線を内蔵した通気性を有する耐熱ガラス容器からなり、容器内の電熱線の周囲に溶岩を配置したことを特徴とする請求項１に記載の溶岩を利用した蒸気浴もしくは乾気浴施設。
【請求項４】
前記人体に接する部位が、浴室内の内壁、床面、座部（椅子）のいずれかから選ばれてなることを特徴とする請求項１に記載の溶岩を利用した蒸気浴もしくは乾気浴施設。
【発明の詳細な説明】
【０００１】
【発明の属する技術分野】この発明は人体の老廃物を汗とともに排出させるための蒸気浴もしくは乾気浴、いわゆる蒸し風呂等に使用する施設に関するもので、特に遠赤外線を利用して人体細胞の活動を刺激し、また溶岩に含有される数多くのミネラルをイオン化して取り込むことにより人体の活力を増進させることで、人体の疾病に対する免疫能力の向上及び老化した部位の自生力を増進させるため、遠赤外線の吸収、貯蔵及び放出特性に優れた溶岩を使用することにより、加熱時に遠赤外線を最大限持続的に放出するように改善された構造の溶岩を利用した蒸気浴もしくは乾気浴施設に関するものである。
【０００２】
【従来の技術】昔から健康のために使用されてきた蒸し風呂は、現在主として耐火花崗岩片を使用して築造され、内部空間の温度が５０〜７０℃程度に維持されるようにガスまたは石油を使用して一定時間間隔に加熱されるものである。そして、蒸し風呂の種類によって内部空間に蒸気を供給するか、蓬のような薬剤を配置することもある。しかし、このような構造の従来の蒸し風呂はただ常温より高い温度に内部空間を加熱して、利用者が汗を掻くようにすることにより、人体に蓄積された老廃物を排出するようにする程度に止め、より根本的な人体の自家治癒効果が微弱であった。
【０００３】
【発明が解決しようとする課題】この発明の目的は、上のような従来の蒸し風呂による問題を解消するため、遠赤外線を利用して人体細胞の活動を刺激し、また溶岩に含有される数多くのミネラルをイオン化して取り込むことにより人体の活力を増進させ、人体の自家治癒効果を増進させるように、大量の遠赤外線を放出し、数多くのミネラルを含有する溶岩を利用した蒸気浴もしくは乾気浴施設を提供することである。
この発明の他の目的は、加熱により所望する温度を一定に維持する蓄熱機能に優れ、貯蔵された熱エネルギーが持続的に一定に放出されるようにする熱効率の増大された省エネルギー型の溶岩を利用した蒸気浴もしくは乾気浴施設を提供することである。
【０００４】
【課題を解決するための手段】上のような目的を達成するため、この発明の溶岩を利用した蒸気浴もしくは乾気浴施設は、浴室内の放熱部および／または浴室の床面や側壁等の人体に接する部位に溶岩を配置したことを特徴とするものである。
【０００５】この発明の溶岩を利用した蒸気浴もしくは乾気浴施設は、前記放熱部が、加熱手段を内蔵した加熱装置もしくは加熱手段に給水して蒸気を発生させる蒸気発生装置からなり、この加熱装置もしくは蒸気発生装置に取り付けた加熱手段に近接させて溶岩を配置したことを特徴とするものである。
【０００６】またこの発明の溶岩を利用した蒸気浴もしくは乾気浴施設は、前記放熱部が、浴室内の適所に配置された電熱線を内蔵した通気性を有する耐熱ガラス容器からなり、容器内の電熱線の周囲に溶岩を配置したことを特徴とするものである。
【０００７】さらにこの発明の溶岩を利用した蒸気浴もしくは乾気浴施設は、前記人体に接する部位が、浴室内の内壁、床面、座部（椅子）のいずれかから選ばれてなることを特徴とするものである。
【０００８】
【発明の実施の形態】以下、この発明の溶岩を利用した蒸気浴もしくは乾気浴施設の実施の形態を図面を参照してより詳細に説明する。
図１はこの発明の溶岩を利用した蒸気浴もしくは乾気浴施設の１実施例を示す斜視図である。
【０００９】図１は、この発明に係る溶岩を利用した蒸気浴もしくは乾気浴施設の、特に蒸気浴の場合の施設１の全体図を示すもので、ハウジング２が無機材料からなるブロック等の積層構造や、断熱材を内装したＦＲＰの成形品、断熱材を内装した金属製品等でほぼ円筒形に形成されている。これらのハウジング２を構成している上記無機材料からなるブロック等や、ＦＲＰの成形品、あるいは金属製品等の浴室内面を構成する素材としては、溶岩そのものや溶岩粉末の含有素材を使用することが望ましい。また上記ハウジング２の１例として、ユニットバスと称するトイレ設備を備えたものとすることも可能である。
このようにすることにより、溶岩は蓄熱と遠赤外線発散機能に優れたものと知られているので、この発明の溶岩を利用した蒸気浴もしくは乾気浴施設の作用をより高めることが可能である。
【００１０】蒸気浴施設１の床面３の下部には貯水槽４が取り付けられ、貯水槽４内に貯留した水５の中には溶岩６が充填もしくは敷き詰められている。この貯水槽４には上記水５を加熱して温水にするためのボイラと連結した給湯パイプもしくは温水ヒータ（図示せず）が付設されている。７はその側面に取り付けた給水口で、貯水槽４内の水位を検知して貯水槽４が空にならないようにするためのものであり、８は床面３に設けた多数の蒸気放出孔である。
【００１１】ハウジング２の側壁の適所には利用者出入用のドア９が開閉可能に取り付けられており、このドア９は所定温度に加熱されたハウジング２内部を、閉じて熱が無駄に排出されないようにするものである。好ましくはその上部にハウジング２内の状況を確認するのぞき窓を形成しておく。
【００１２】ハウジング２内の床面３上の適所には、溶岩からそのまま切り出したり、所定の厚さの溶岩板を積層して所定の形状にしたり、溶岩粉末を含有する素材を成形した溶岩製の椅子１０が設置されている。この溶岩製の椅子１０は、ハウジング２内部の温度上昇の際にもあまり木製の場合のように熱く感じることがないので木製の椅子の代わりに好適に使用できる。
【００１３】ハウジング２の内側壁には、その適当な高さの位置にヒータ１１が取り付けられている。このヒータ１１は耐熱ガラス製ケース１２内にニクロム線１３を配置し、その周囲に溶岩１４を充填したものであって、利用者の人体に遠赤外線の照射をより大きくし得るものである。ヒータ１１の大きさや数は、ハウジング２内の容積や蒸気浴か乾気浴か等によって適宜決定することができる。
なお、１５はハウジング２の天井で、そのほぼ中央には換気口１６が形成されている。
【００１４】上記溶岩は蓄熱特性に優れており、貯蔵された熱エネルギーを長時間にわたって徐々に放出するので、一回の加熱で長時間の高温維持が可能であり、さらに溶岩は蓄熱特性だけでなく遠赤外線の放出特性に優れている。特に、溶岩はその構造がハニカム構造物であるため、熱の吸収貯蔵性に優れ、熱を受けると遠赤外線の放出量が大きく増大される。
【００１５】蒸気浴施設１の内部に設置したヒータ１１に通電すると、加熱された空気は上昇し、ハウジング２の内壁に接触して冷えた空気は下降する方式で対流することにより、貯水槽４内の水に接触して蒸発させ、蒸気は換気口１６を通じて排出される。
【００１６】上記蒸気浴施設１の内部空間は、加熱時にその高さによって温度が変わるように形成することが望ましい。すなわち、約３ｍ程度を３個層に区分すると、最上層の温度は６００〜９００℃程度であるが、最初の加熱時間によってそれ以上も可能であり、中間層は４００〜６００℃であり、地面から最下層は７０〜１５０℃である。
【００１７】利用者が座っている地面付近では常に最下層の温度に一定に維持される。これは、前述したように、貯水槽４やヒータ１１内に充填されている溶岩に貯蔵された熱エネルギーが放出しつづけ、それに隣接した空気が加熱されて上昇するとともに、中間の相対的に冷えた空気は下降することにより、蒸気浴施設１の内部で続けて対流がなされるためである。したがって、蒸気浴施設１の加熱は、従来のガスまたは石油により加熱される蒸し風呂に比べてエネルギー利用効率が大きく改善される利点がある。
【００１８】利用者が座っている最下層の温度は７０〜１５０℃であって非常に高いが、蒸気浴施設１の内部は高温、乾燥状態であるため、実際利用者が感ずる体感温度は利用者が耐えにくい程度ではなく、火傷の危険もなく、利用者は内壁に直接皮膚が接触しないように気をつけるとよく、必要によって綿布又は麻布などを身に付けて入ることもできる。
【００１９】なお、溶岩が加熱されることにより遠赤外線が自然条件でより大量で放出されるため、蒸気浴施設１内の利用者身体の細胞が大きな活力を得るだけでなく、人体の自家治療効能が向上されて、健康に優れた効果を表す。
【００２０】上記実施例においては溶岩を利用した蒸気浴施設について説明したが、乾気浴施設に利用することも全く同様に行なうことができる。すなわち、床面３の下部に設けた上記貯水槽４内に給湯パイプや温水ヒータに代えて温風を供給するファンヒータ等を設置し、蒸気放出孔８から乾燥した熱風を供給するのである。その他については上記実施例と同様でよい。
【００２１】
【発明の効果】以上説明したように、この発明によれば、加熱により所望する温度を一定に維持する蓄熱機能に優れ、貯蔵された熱エネルギーが持続的に一定に放出されるようにする熱効率の増大された省エネルギー型の溶岩を利用した蒸気浴もしくは乾気浴施設を提供することが可能となった。
また次のような効果がある。
１）溶岩から放出する遠赤外線は、体内の奥深く浸透して人体細胞の活動を刺激し、体内を暖めて身体の芯から汗と人体内の老廃物を排出するとともに、溶岩に含有される数多くのミネラルをイオン化して取り込むことにより、人体の活力を増進させ、人体の自家治癒効果を増進して利用者の健康を増進し得る利点がある。
２）溶岩に含まれるミネラル、例えば亜鉛等にはピロリ菌・サルモネラ菌・院内感染菌・Ｏ−１５７・歯周菌等を殺菌作用があるといわれており、ハウジング内の蒸気や乾気は衛生的である。ちなみに、上記亜鉛は特に富士山系の溶岩に豊富に含まれている。
３）溶岩に含まれるミネラルには脂肪分解作用があるといわれており、浴室の内面に体脂肪が付着しないので浴室の清掃が容易であり、体脂肪や皮下脂肪を低下させることが期待できる。
４）溶岩は加熱によりマイナスイオンを発生するといわれており、消臭効果が期待できる。すなわち、塩素臭や油臭、タバコ臭、体臭等の消臭機能を発揮させることができる。
【図面の簡単な説明】
【図１】この発明の溶岩を利用した蒸気浴もしくは乾気浴施設の１実施例を示す概略斜視図である。
【符号の説明】
１  蒸気浴施設
２  ハウジング
３  床面
４  貯水槽
５  水
６  溶岩
７  給水口
８  蒸気放出孔
９  ドア
１０  椅子
１１  ヒータ
１２  耐熱ガラス製ケース
１３  ニクロム線
１４  溶岩
１５  天井
１６  換気口
【図１】
2004236676.tif 000003